(57)【要約】【課題】バイブレータを備える携帯電話装置において、バイブレータの鳴動に起因する不快音または異常な振動音の発生を防止する。【解決手段】バイブレータ５とマイク３とを有する携帯電話装置１０において、バイブレータ５の鳴動時と停止時における周囲の音圧レベルをマイク３により測定し、音圧レベルの差と予め設定されているしきい値とを比較し、音圧レベルの差がしきい値よりも大きい場合には、バイブレータ５の鳴動を停止し、または、弱める。【選択図】　　図１
2004056623.tif 000002
【特許請求の範囲】
【請求項１】
バイブレータとマイクとを有する携帯電話装置において、
前記バイブレータの鳴動時と停止時における周囲の音圧レベルを前記マイクにより測定し、
前記音圧レベルの差と予め設定されているしきい値とを比較し、前記音圧レベルの差が前記しきい値よりも大きい場合には、前記バイブレータの鳴動を停止し、または、弱めることを特徴とする携帯電話装置。
【請求項２】
バイブレータとマイクと発光素子とを有する携帯電話装置において、
前記バイブレータの鳴動時と停止時における周囲の音圧レベルを前記マイクにより測定し、
前記音圧レベルの差と予め設定されているしきい値とを比較し、前記音圧レベルの差が前記しきい値よりも大きい場合には、前記バイブレータの鳴動を停止し、または、弱めるとともに、前記発光素子を発光させることを特徴とする携帯電話装置。
【請求項３】
前記バイブレータの鳴動は、前記音圧レベルの差と前記しきい値との差に応じて、弱められることを特徴とする請求項１または２に記載の携帯電話装置。
【請求項４】
バイブレータとマイクとを有する携帯電話装置の作動方法であって、
前記バイブレータの鳴動時と停止時における周囲の音圧レベルを前記マイクにより測定する第一の段階と、
前記音圧レベルの差と予め設定されているしきい値とを比較する第二の段階と、
前記音圧レベルの差が前記しきい値よりも大きい場合には、前記バイブレータの鳴動を停止し、または、弱める第三の段階と、
を備えることを特徴とする携帯電話装置の作動方法。
【請求項５】
バイブレータとマイクと発光素子とを有する携帯電話装置の作動方法であって、
前記バイブレータの鳴動時と停止時における周囲の音圧レベルを前記マイクにより測定する第一の段階と、
前記音圧レベルの差と予め設定されているしきい値とを比較する第二の段階と、
前記音圧レベルの差が前記しきい値よりも大きい場合には、前記バイブレータの鳴動を停止し、または、弱めるとともに、前記発光素子を発光させる第三の段階と、
を備えることを特徴とする携帯電話装置の作動方法。
【請求項６】
前記第三の段階においては、前記音圧レベルの差と前記しきい値との差に応じて、前記バイブレータの鳴動が弱められることを特徴とする請求項４または５に記載の携帯電話装置の作動方法。
【発明の詳細な説明】
【０００１】
【発明の属する技術分野】
本発明はバイブレータ機能を有する携帯電話装置に関する。
【０００２】
【従来の技術】
例えば、特開平１−２２７５３５号公報または特開平５−３１６０１６号公報に記載されているように、近年では、着信時に着信音を鳴らすことに代えて、内蔵したバイブレータを作動させ、携帯電話装置の本体を振動させることにより、ユーザーに着信を知らせる携帯電話装置が広く用いられている。
【０００３】
【発明が解決しようとする課題】
着信時にバイブレータが鳴動するように設定した携帯電話装置を机上などの固い面上に置いたときにバイブレータが鳴動すると、携帯電話装置の振動音が机に伝播し、不快音を生じさせることがあった。
【０００４】
また、振動により、携帯電話装置が机の上で踊ってしまい、机上から落下してしまう可能性もあった。
【０００５】
本発明は、このような問題点に鑑みてなされたものであり、バイブレータの鳴動に起因する不快音または異常な振動音の発生を防止する携帯電話装置及びその作動方法を提供することを目的とする。
【０００６】
【課題を解決するための手段】
この目的を達成するため、本発明は、バイブレータとマイクとを有する携帯電話装置において、前記バイブレータの鳴動時と停止時における周囲の音圧レベルを前記マイクにより測定し、前記音圧レベルの差と予め設定されているしきい値とを比較し、前記音圧レベルの差が前記しきい値よりも大きい場合には、前記バイブレータの鳴動を停止し、または、弱めることを特徴とする携帯電話装置を提供する。
【０００７】
本携帯電話装置においては、バイブレータの鳴動中に、マイクで携帯電話装置の振動音を検知する。異常な振動音が発生した場合には、バイブレータの鳴動を停止し、または、鳴動を弱めることによって、不快な振動音を緩和する。
【０００８】
また、本発明は、バイブレータとマイクと発光素子とを有する携帯電話装置において、前記バイブレータの鳴動時と停止時における周囲の音圧レベルを前記マイクにより測定し、前記音圧レベルの差と予め設定されているしきい値とを比較し、前記音圧レベルの差が前記しきい値よりも大きい場合には、前記バイブレータの鳴動を停止し、または、弱めるとともに、前記発光素子を発光させることを特徴とする携帯電話装置を提供する。
【０００９】
本携帯電話装置においては、バイブレータの鳴動中に、マイクで携帯電話装置の振動音を検知する。異常な振動音が発生した場合には、バイブレータの鳴動を停止し、または、鳴動を弱めることによって、不快な振動音を緩和する。ただし、バイブレータの鳴動を停止し、または、鳴動を弱めることにより、ユーザーが着信に気付かなくなるおそれもある。このため、バイブレータの鳴動を停止し、または、鳴動を弱めるとともに、発光素子を発光させることにより、ユーザーへの着信の報知を確実に行うようにしている。
【００１０】
なお、前記バイブレータの鳴動は、前記音圧レベルの差と前記しきい値との差に応じて、弱めることができる。
【００１１】
さらに、本発明は、バイブレータとマイクとを有する携帯電話装置の作動方法であって、前記バイブレータの鳴動時と停止時における周囲の音圧レベルを前記マイクにより測定する第一の段階と、前記音圧レベルの差と予め設定されているしきい値とを比較する第二の段階と、前記音圧レベルの差が前記しきい値よりも大きい場合には、前記バイブレータの鳴動を停止し、または、弱める第三の段階と、を備えることを特徴とする携帯電話装置の作動方法を提供する。
【００１２】
本方法においては、バイブレータの鳴動中に、マイクで携帯電話装置の振動音を検知する。異常な振動音が発生した場合には、バイブレータの鳴動を停止し、または、鳴動を弱めることによって、不快な振動音を緩和する。
【００１３】
さらに、本発明は、バイブレータとマイクと発光素子とを有する携帯電話装置の作動方法であって、前記バイブレータの鳴動時と停止時における周囲の音圧レベルを前記マイクにより測定する第一の段階と、前記音圧レベルの差と予め設定されているしきい値とを比較する第二の段階と、前記音圧レベルの差が前記しきい値よりも大きい場合には、前記バイブレータの鳴動を停止し、または、弱めるとともに、前記発光素子を発光させる第三の段階と、を備えることを特徴とする携帯電話装置の作動方法を提供する。
【００１４】
本方法においては、バイブレータの鳴動中に、マイクで携帯電話装置の振動音を検知する。異常な振動音が発生した場合には、バイブレータの鳴動を停止し、または、鳴動を弱めることによって、不快な振動音を緩和する。ただし、バイブレータの鳴動を停止し、または、鳴動を弱めることにより、ユーザーが着信に気付かなくなるおそれもある。このため、バイブレータの鳴動を停止し、または、鳴動を弱めるとともに、発光素子を発光させることにより、ユーザーへの着信の報知を確実に行うようにしている。
【００１５】
前記第三の段階においては、前記音圧レベルの差と前記しきい値との差に応じて、前記バイブレータの鳴動を弱めることができる。
【００１６】
【発明の実施の形態】
図１は、本発明の第一の実施形態に係る携帯電話装置１０の構成を示すブロック図である。
【００１７】
本実施形態に係る携帯電話装置１０は、無線信号を送信または受信するアンテナ１と、変調及び復調その他の無線信号の送受信に必要な処理を行う無線部２と、音声を送話する送話用マイク３と、着信などを振動によってユーザーに知らせるバイブレータ５と、受話音声を発生させるスピーカ６と、無線部２と送話用マイク３とバイブレータ５とスピーカ６の作動を制御する制御部４と、から構成されている。
【００１８】
図２は本実施形態に係る携帯電話装置１０の動作を示すフローチャートである。以下、本実施形態に係る携帯電話装置１０の動作について、図１及び図２を用いて説明する。
【００１９】
まず、着信などを振動によってユーザーに知らせる場合、制御部４はバイブレータ５を制御して鳴動させる（ステップＳ１０）。
【００２０】
この時、同時に、送話用マイク３により携帯電話装置１０の振動音を検知して、音圧レベルを測定する（ステップＳ１１）。
【００２１】
例えば、図３（Ａ）に示すようなパターンでバイブレータ５を鳴動させた場合、バイブレータ５の鳴動がＯＦＦの期間の音圧レベル（図３（Ｂ）のレベルＡ）とＯＮの期間の音圧レベル（図３（Ｂ）のレベルＢ）を送話用マイク３で測定する。
【００２２】
次いで、制御部４は、この時のレベルの差Ｄが予め設定されたレベル閾値Ｓと等しいか、あるいは、レベル閾値Ｓよりも大きいか否かを判定する（ステップＳ１２）。
【００２３】
音圧レベルの差Ｄが予め設定されたレベル閾値Ｓと等しいか、あるいは、レベル閾値Ｓよりも大きい場合には（ステップＳ１２のＹＥＳ）、制御部４はバイブレータ５の鳴動を停止し、もしくは、鳴動を弱める（ステップＳ１３）。
【００２４】
音圧レベルの差Ｄがレベル閾値Ｓよりも小さい場合には（ステップＳ１２のＮＯ）、音圧レベルの測定と、測定した音圧レベルの差Ｄとレベル閾値Ｓとの比較とを繰り返す。
【００２５】
予め設定されたレベル閾値Ｓとは、机上などの固い床面に携帯電話装置１０が置かれている場合にバイブレータ５が作動しても異常な振動音が発生せず、通常の状態のバイブレータ鳴動時の音圧レベルを示す。レベル閾値Ｓは予め携帯電話装置１０のメモリ（図示せず）内に保持される。
【００２６】
以上のように、本実施形態に係る携帯電話装置１０によれば、机上などの固い床面に携帯電話装置１０を置いたときにバイブレータ５が鳴動した場合、バイブレータ５の鳴動に同期して発生する携帯電話装置１０の異常に大きな振動音を送話用マイク３を用いて検知することができ、そのような振動音が発生した場合、制御部４はバイブレータ５の鳴動を停止し、もしくは、鳴動を弱める制御を行う。このため、携帯電話装置１０の不快な振動音を緩和することができる。
【００２７】
なお、バイブレータ５の鳴動を弱める場合、そのときの音圧レベルの変化により、段階的に行うことも可能である。あるいは、音圧レベルの差Ｄとレベル閾値Ｓとの差に応じて、バイブレータ５の鳴動を弱めることも可能である。
【００２８】
図４は、本発明の第二の実施形態に係る携帯電話装置２０の構成を示すブロック図である。
【００２９】
本実施形態に係る携帯電話装置２０は、無線信号を送信または受信するアンテナ１と、変調及び復調その他の無線信号の送受信に必要な処理を行う無線部２と、音声を送話する送話用マイク３と、着信などを振動によってユーザーに知らせるバイブレータ５と、受話音声を発生させるスピーカ６と、発光素子（ＬＥＤ）７と、無線部２と送話用マイク３とバイブレータ５とスピーカ６と発光素子７の作動を制御する制御部４と、から構成されている。
【００３０】
なお、第一の実施形態に係る携帯電話装置１０の構成要素と同一の構造及び機能を有する構成要素には同一の符号を付してある。
【００３１】
図５は本実施形態に係る携帯電話装置２０の動作を示すフローチャートである。以下、本実施形態に係る携帯電話装置２０の動作について、図４及び図５を用いて説明する。
【００３２】
まず、着信などを振動によってユーザーに知らせる場合、制御部４はバイブレータ５を制御して鳴動させる（ステップＳ２０）。
【００３３】
この時、同時に、送話用マイク３により携帯電話装置１０の振動音を検知して、音圧レベルを測定する（ステップＳ２１）。
【００３４】
次いで、制御部４は、音圧レベルの差Ｄが予め設定されたレベル閾値Ｓと等しいか、あるいは、レベル閾値Ｓよりも大きいか否かを判定する（ステップＳ２２）。
【００３５】
音圧レベルの差Ｄが予め設定されたレベル閾値Ｓと等しいか、あるいは、レベル閾値Ｓよりも大きい場合には（ステップＳ２２のＹＥＳ）、制御部４はバイブレータ５の鳴動を停止し、もしくは、鳴動を弱めるとともに、発光素子７を作動させる（ステップＳ２３）。
【００３６】
音圧レベルの差Ｄがレベル閾値Ｓよりも小さい場合には（ステップＳ２２のＮＯ）、音圧レベルの測定と、測定した音圧レベルの差Ｄとレベル閾値Ｓとの比較とを繰り返す。
【００３７】
以上のように、本実施形態に係る携帯電話装置２０によれば、バイブレータ５の鳴動に同期して携帯電話装置１０に異常に大きな振動音が発生した場合、制御部４はバイブレータ５の鳴動を停止し、もしくは、鳴動を弱める制御を行う。同時に、制御部４は発光素子７を作動させ、ユーザーに対して、光による報知を行う。このため、バイブレータ５の鳴動を弱めたことにより、ユーザーが着信に気付きにくくなったような場合であっても、発光素子７からの光により、ユーザーが確実に着信に気が付くようにすることができる。
【００３８】
【発明の効果】
以上のように、本発明によれば、机上などの固い床面に携帯電話装置を置いたときにバイブレータが鳴動した場合、バイブレータの鳴動に同期して発生する携帯電話装置の異常に大きな振動音をマイクを用いて検知することができる。そのような振動音が発生した場合には、バイブレータの鳴動は停止され、または、弱められる。このため、携帯電話装置の不快な振動音を緩和することができる。
【００３９】
さらには、携帯電話装置の振動により、携帯電話装置が踊り、机上などから落下する危険性をなくすこともできる。
【００４０】
さらには、携帯電話装置に発光素子を設けることにより、バイブレータの鳴動を弱めたため、ユーザーが着信に気付きにくくなったような場合であっても、発光素子からの光により、ユーザーが確実に着信に気が付くようにすることができる。
【図面の簡単な説明】
【図１】本発明の第一の実施形態に係る携帯電話装置の構成を示すブロック図である。
【図２】本発明の第一の実施形態に係る携帯電話装置の動作を示すフローチャートである。
【図３】バイブレータの鳴動パターンと、それに対応して測定される音圧レベルとを示す波形図である。
【図４】本発明の第二の実施形態に係る携帯電話装置の構成を示すブロック図である。
【図５】本発明の第二の実施形態に係る携帯電話装置の動作を示すフローチャートである。
【符号の説明】
１　アンテナ
２　無線部
３　送話用マイク
４　制御部
５　バイブレータ
６　スピーカ
７　発光素子
１０　第一の実施形態に係る携帯電話装置
２０　第二の実施形態に係る携帯電話装置
【図１】
2004056623.tif 000003
【図２】
2004056623.tif 000004
【図３】
2004056623.tif 000005
【図４】
2004056623.tif 000006
【図５】
2004056623.tif 000007